(57)【特許請求の範囲】
【請求項１】
ヘモグロビンおよび／またはミオグロビン、並びに、不飽和脂肪酸および／または１−ヒドロキシ−１Ｈ−ベンゾトリアゾールを含むことを特徴とするゴムの分解剤。
【請求項２】
不飽和脂肪酸が、リノール酸である、請求項１に記載のゴムの分解剤。
【請求項３】
さらに、過酸化物を含むことを特徴とする、請求項１または２に記載のゴムの分解剤。
【請求項４】
過酸化物が、過酸化水素である、請求項３に記載のゴムの分解剤。
【請求項５】
さらに、界面活性剤を含むことを特徴とする、請求項１〜４のいずれかに記載のゴムの分解剤。
【請求項６】
界面活性剤が、Ｔｗｅｅｎ２０である、請求項５に記載のゴムの分解剤。
【請求項７】
ゴムが、天然ゴム、イソプレンゴム、ブタジエンゴム、スチレン−ブタジエンゴム、スチレン−イソプレンゴム、ブチルゴム、エチレン−プロピレンゴム、クロロプレンゴム、アクリルニトリル−ブタジエンゴム、エチレン−プロピレン−ジエンゴム、ハロゲン化ブチルゴムからなる群より選択される少なくとも１種である、請求項１〜６のいずれかに記載のゴムの分解剤。
【請求項８】
ゴムが、天然ゴム、イソプレンゴム、ブタジエンゴム、スチレン−ブタジエンゴム、スチレン−イソプレンゴムからなる群より選択される少なくとも１種である請求項１〜７のいずれかに記載のゴムの分解剤。
【請求項９】
ヘモグロビンおよび／またはミオグロビン、並びに、不飽和脂肪酸および／または１−ヒドロキシ−１Ｈ−ベンゾトリアゾールを用いることを特徴とするゴムの分解方法。
【請求項１０】
不飽和脂肪酸が、リノール酸である、請求項９に記載のゴムの分解方法。
【請求項１１】
さらに、過酸化物を用いることを特徴とする、請求項９または１０に記載のゴムの分解方法。
【請求項１２】
過酸化物が、過酸化水素である、請求項１１に記載のゴムの分解方法。
【請求項１３】
さらに、界面活性剤を用いることを特徴とする、請求項９〜１２のいずれかに記載のゴムの分解方法。
【請求項１４】
界面活性剤が、Ｔｗｅｅｎ２０である、請求項１３に記載のゴムの分解方法。
【請求項１５】
ゴムが、天然ゴム、イソプレンゴム、ブタジエンゴム、スチレン−ブタジエンゴム、スチレン−イソプレンゴム、ブチルゴム、エチレン−プロピレンゴム、クロロプレンゴム、アクリルニトリル−ブタジエンゴム、エチレン−プロピレン−ジエンゴム、ハロゲン化ブチルゴムからなる群より選択される少なくとも１種である、請求項９〜１４のいずれかに記載のゴムの分解方法。
【請求項１６】
ゴムが、天然ゴム、イソプレンゴム、ブタジエンゴム、スチレン−ブタジエンゴム、スチレン−イソプレンゴムからなる群より選択される少なくとも１種である、請求項９〜１５のいずれかに記載のゴムの分解方法。
【発明の詳細な説明】
【技術分野】
【０００１】
本発明は、タンパク質を用いたゴムの分解剤および分解方法に関する。さらに詳しくは、西洋わさびペルオキシダーゼ、ミオグロビン、ヘモグロビンを用いたゴムの分解剤および分解方法に関する。
【背景技術】
【０００２】
従来、ゴムを用いた製品を廃棄する場合、ゴムを燃料として用いるサーマルリサイクルが中心である。しかし、地球温暖化などの環境問題や廃棄物の再利用という観点から、低温で分解し、分解物を再利用することが必要である。ここで、廃棄ゴムを機械により粉砕して再利用することが検討されているが、粉砕には大きなエネルギーを必要とし、依然環境問題を解決するものとはなっていない。
【０００３】
また、タンパク質を用いたゴムの分解方法としては、特許文献１にリグニン分解酵素を用いたものが開示されている。しかし、特許文献１では、単に機械的強度を測定することによりゴムの強度低下を測定しており、実際にゴムの分解を確認しているものではない。また、特許文献２には、マンガンペルオキシダーゼを用いたポリウレタンの分解方法が開示されている。しかし、特許文献２は、ウレタンを対象としており、ゴムの分解については、開示されていない。
【特許文献１】特開２００５−２３２３４７号公報
【特許文献２】特開２００５−６８３１３号公報
【発明の開示】
【発明が解決しようとする課題】
【０００４】
本発明の課題は、ゴムを低温の条件にて分解する基剤およびその方法を提供することにある。
【課題を解決するための手段】
【０００５】
本発明者は、ゴムの分解に西洋わさびペルオキシダーゼ、ミオグロビン、ヘモグロビンを用いることにより上記課題を解決できることを見出し、本発明を完成するに到った。
【０００６】
即ち、本発明は、西洋わさびペルオキシダーゼ、ミオグロビンおよびヘモグロビンからなる群より選択される少なくとも１種のタンパク質を含むことを特徴とするゴムの分解剤である。
【０００７】
また、本発明は、さらに、反応メディエータ基質を含むことを特徴とする上記のゴムの分解剤である。
【０００８】
また、本発明は、反応メディエータ基質が、不飽和脂肪酸および／または１−ヒドロキシ−１Ｈ−ベンゾトリアゾールである、上記のゴムの分解剤である。
【０００９】
また、本発明は、不飽和脂肪酸がリノール酸である上記のゴムの分解剤である。
【００１０】
また、本発明は、さらに、過酸化物を含むことを特徴とする、上記のゴムの分解剤である。
【００１１】
また、本発明は、過酸化物が、過酸化水素である、上記のゴムの分解剤である。
【００１２】
また、本発明は、さらに、界面活性剤を含むことを特徴とする、上記のゴムの分解剤である。
【００１３】
また、本発明は、界面活性剤が、Ｔｗｅｅｎ２０である、上記のゴムの分解剤。
【００１４】
また、本発明は、ゴムが、天然ゴム、イソプレンゴム、ブタジエンゴム、スチレン−ブタジエンゴム、スチレン−イソプレンゴム、ブチルゴム、エチレン−プロピレンゴム、クロロプレンゴム、アクリルニトリル−ブタジエンゴム、エチレン−プロピレン−ジエンゴム、ハロゲン化ブチルゴムからなる群より選択される少なくとも１種である、上記のゴムの分解剤である。
【００１５】
また、本発明は、ゴムが、天然ゴム、イソプレンゴム、ブタジエンゴム、スチレン−ブタジエンゴム、スチレン−イソプレンゴムからなる群より選択される少なくとも１種である上記のゴムの分解剤である。
【００１６】
また、本発明は、タンパク質が、ヘモグロビンおよび／またはミオグロビンである上記のゴムの分解剤である。
【００１７】
また、本発明は、西洋わさびペルオキシダーゼ、ミオグロビンおよびヘモグロビンからなる群より選択される少なくとも１種のタンパク質を用いることを特徴とするゴムの分解方法である。
【００１８】
また、本発明は、さらに、反応メディエータ基質を用いることを特徴とする上記のゴムの分解方法である。
【００１９】
また、本発明は、反応メディエータ基質が、不飽和脂肪酸および／または１−ヒドロキシ−１Ｈ−ベンゾトリアゾールである、上記のゴムの分解方法である。
【００２０】
また、本発明は、不飽和脂肪酸が、リノール酸である上記のゴムの分解方法である。
【００２１】
また、本発明は、さらに、過酸化物を用いることを特徴とする、上記のゴムの分解方法である。
【００２２】
また、本発明は、過酸化物が、過酸化水素である、上記のゴムの分解方法である。
【００２３】
また、本発明は、さらに、界面活性剤を用いることを特徴とする、上記のゴムの分解方法である。
【００２４】
また、本発明は、界面活性剤が、Ｔｗｅｅｎ２０である、上記のゴムの分解方法である。
【００２５】
また、本発明は、ゴムが、天然ゴム、イソプレンゴム、ブタジエンゴム、スチレン−ブタジエンゴム、ブチルゴム、エチレン−プロピレンゴム、クロロプレンゴム、アクリルニトリル−ブタジエンゴム、スチレン−イソプレンゴム、エチレン−プロピレン−ジエンゴム、ハロゲン化ブチルゴムからなる群より選択される少なくとも１種である、上記のゴムの分解方法である。
【００２６】
また、本発明は、ゴムが、天然ゴム、イソプレンゴム、ブタジエンゴム、スチレン−ブタジエンゴム、スチレン−イソプレンゴムからなる群より選択される少なくとも１種請求項１２〜２０のいずれかに記載のゴムの分解方法である。
【００２７】
また、本発明は、タンパク質が、ヘモグロビンおよび／またはミオグロビンである上記のゴムの分解方法である。
【発明の効果】
【００２８】
本発明を用いることで、低温で穏和な条件でゴムを確実に分解することができる。
【発明を実施するための最良の形態】
【００２９】
本発明に用いるタンパク質としては、西洋わさびペルオキシダーゼ、ミオグロビン、ヘモグロビンであれば、特に制限はなく、これらは単独で用いても、2種以上を組み合わせて用いてもよい。ミオグロビンの由来としては、特に制限はないが、たとえば、ウマ骨格筋由来、ウマ心臓由来などを挙げることができる。また、ヘモグロビンの由来としては、特に制限はないが、たとえば、ウシ血液由来、ウマ血液由来、ブタ血液由来、ヒト血液由来などを挙げることができる。また、西洋わさびペルオキシダーゼ、ミオグロビン、ヘモグロビンの純度としては、特に制限はなく、西洋わさびペルオキシダーゼでは、高含有品（２５０〜３３０ｕｎｉｔ／ｍｇ）や低含有品（５０〜１５０ｕｎｉｔ／ｍｇ）などを挙げることができる。また、ミオグロビンでは、凍結乾燥粉末（９５〜１００％）などを挙げることができ、ヘモグロビンでは、凍結乾燥粉末、洗浄・透析精製赤血球由来、乾燥赤血球由来などを挙げることができる。
【００３０】
特に、ミオグロビンおよび／またはヘモグロビンを用いた場合は、その価格が安いため、ゴムの分解におけるコストを下られる点で、好ましい。すなわち、西洋わさびペルオキダーゼの価格はそのグレードによって異なるが、１μｍｏｌあたり２０００〜２００００円程度である一方、ミオグロビンは、１μｍｏｌあたり１００〜２００円程度、ヘモグロビンは、１μｍｏｌあたり１円以下〜２０円程度である。したがって、タンパク質としてヘモグロビンを用いた場合は、西洋わさびペルオキシダーゼを用いた場合よりコストが１／２００００となる。
【００３１】
本発明に用いるタンパク質の量は、分解するゴムの性質に応じて適宜決定されるが、例えばゴム１０ｍｇに対して０．１〜１０００μＭ、より好ましくは１〜１００μＭ、最も好ましくは５〜２０μＭである。
【００３２】
本発明に用いる反応メディエータとしては、ゴムの分解反応を媒介するものであれば特に制限はないが、不飽和脂肪酸、１−ヒドロキシベンゾトリアゾール（ＨＯＢＴ）等を挙げることができる。この中でも特に、リノール酸、リノレン酸、アラキドン酸、エイコサペンタエン酸、ドコサペンタエン酸、ドコサヘキサエン酸、１−ヒドロキシベンゾトリアゾールがより好ましく、リノール酸、１−ヒドロキシベンゾトリアゾールが最も好ましい。これらの反応メディエータは、単独で用いても、２種以上を併用して用いてもよく、リノール酸とＨＯＴＢを合わせて用いることが最も好ましい。
【００３３】
本発明に用いる反応メディエータの量としては、分解するゴムの性質に応じて適宜決定されるが、例えばゴム１０ｍｇに対して０．１ｍＭ〜１０００ｍＭ、より好ましくは１〜１００ｍＭ、最も好ましくは５〜３０ｍＭである。
【００３４】
本発明に用いる過酸化物は、ゴムの分解を促進するものであれば特に制限はないが、例えば、過酸化水素、有機過酸化物、過カルボン酸などを挙げることができる。この中で、過酸化水素、メタクロロ過安息香酸がより好ましく、過酸化水素が最も好ましい。
【００３５】
本発明に用いる過酸化物の量は、分解するゴムの性質において次適宜決定されるが、例えば、ゴム１０ｍｇに対して０．１ｍＭ〜１０００ｍＭ、より好ましくは１〜１００ｍＭ、最も好ましくは５〜３０ｍＭである。
【００３６】
本発明に用いる界面活性剤は、ゴムの分解を促進するものであれば特に制限はないが、例えば、Ｔｗｅｅｎ２０、Ｔｗｅｅｎ４０、Ｔｗｅｅｎ６０、ＴｒｉｔｏｎＸ−１００、ＰｌｙｓｕｒｆＡ２１０Ｇなどを挙げることができる。この中でも、Ｔｗｅｅｎ２０、ＴｒｉｔｏｎＸ−１００、ＰｌｙｓｕｒｆＡ２１０Ｇがより好ましく、Ｔｗｅｅｎ２０が最も好ましい。
【００３７】
本発明に用いる界面活性剤の量は、分解するゴムの性質において次適宜決定されるが、例えば、ゴム１０ｍｇに対して０．００１〜１Ｗ／Ｖ％、より好ましくは０．０１〜０．１Ｗ／Ｖ％、最も好ましくは０．０３〜０．１Ｗ／Ｖ％である。
【００３８】
本発明の分解の対象とするゴムは、本発明により分解されるものであれば特に制限はないが、例えば、ジエン結合を分子中に有するゴムを挙げることができる。このようなゴムとしては、例えば、天然ゴム、イソプレンゴム、ブタジエンゴム、スチレン−ブタジエンゴム、スチレン−イソプレンゴム、ブチルゴム、エチレン−プロピレンゴム、クロロプレンゴム、アクリルニトリル−ブタジエンゴム、エチレン−プロピレン−ジエンゴム、ハロゲン化ブチルゴムを挙げることができる。この中でも、天然ゴム、イソプレンゴム、ブタジエンゴム、スチレン−ブタジエンゴム、スチレン−イソプレンゴムを好ましい例として挙げることができ、天然ゴム、イソプレンゴム、ブタジエンゴムを最も好ましい例として挙げることができる。
【００３９】
本発明における反応機構としては、本発明を限定するものではなく、完全には明らかではないが、例えば図１に示すような反応機構が考えられる。すなわち、酸化酵素（西洋わさびペルオキシダーゼ、ミオグロビン、ヘモグロビン）が酸素、過酸化水素等により還元型から酸化型になり、これにより反応メディエータ基質をラジカル化し、このラジカルによりゴムを分解することが考えられる。ここで、ヘモグロビン／ミオグロビンは、生体内において血液／筋肉中に存在し、酸素分子の運搬／貯蔵を担うタンパク質であるが、本発明者は、ヘモグロビン／ミオグロビンの酸化酵素としての触媒能に注目し、本発明を完成させたものである。
【００４０】
本発明において、ゴムの分解反応は、上記各成分をゴムに適宜投入後、浸漬、攪拌、振盪等により反応を進めることができる。
【００４１】
分解対象のゴムは、そのまま用いてもよいが、分解を促進するという観点からは、細かく裁断することが好ましい。このとき、裁断したゴムの大きさとしては、特に制限はないが、例えば０．１〜１０ｍｍ、好ましくは１〜５ｍｍ程度の粒径とするのがよい。また、分解対象のゴムは、例えばクロロホルム等の溶媒に予め溶解し、クロロホルムを留去することにより、キャストフィルムの形体としてもよい。
【００４２】
本発明において、ゴム分の分解温度としては特に制限はないが、タンパク質が失活しない温度が好ましい。例えば、０〜８０℃、より好ましくは１０〜５０℃、最も好ましくは２０〜３０℃を挙げることができる。
【００４３】
また、本発明において、ゴムの分解の反応時間としては、ゴムが目的とする程度に分解されるものであれば特に制限はないが、例えば、１〜１０００時間、より好ましくは１０〜３００時間、最も好ましくは５０〜１００時間を挙げることができる。
【００４４】
以下実施例を用いて本発明をさらに説明するが、本発明は、実施例に限定されるものではない。
【実施例１】
【００４５】
＜西洋わさびペルオキシダーゼ（ＨＲＰ）によるゴムの分解試験＞
容量１０ｍＬのなす型フラスコ（最大直径３０ｍｍ）に、スチレンブタジエンゴム（ＪＳＲ社製、品番ＴＲ２０００）１０ｍｇを投入したのち、クロロホルム１ｍＬを入れ、スチレンブタジエンゴム（ＳＢＳ）を完全に溶解した。ロータリーエバポレータを用いてクロロホルムを留去し、ＳＢＳのキャストフィルムを得た。
【００４６】
得られたキャストフィルムに、西洋わさびペルオキシダーゼ（ＳＩＧＭＡ社製、品番Ｐ８１２５）、反応メディエータ基質、過酸化物、界面活性剤等を必要に応じて投入し、リン酸緩衝液溶液（ＮａＰｉ、ｐＨ７．０）の溶媒５ｍＬを入れ、２５℃で、好気下、遮光下で、９６時間攪拌した。攪拌は、シェーカーによりフラスコを回転振盪処理した（１００ｒｐｍ）。
【００４７】
反応終了後クロロホルム１５ｍＬにより分液抽出を行い、クロロホルムを留去して濃縮乾固したものを分析した。
【００４８】
分析は、サイズ排除クロマトグラフー（ＳＥＣ）を用いて行った。即ち、高速ＧＰＣ装置（ＴＯＳＯＨ  ＨＬＣ−８０２０）、ＳＥＣカラム（ＴＳＫｇｕａｒｄｃｏｌｕｍｎαおよびＴＳＫｇｅｌα−Ｍの連結）、移動相溶媒（Ｎ−メチルピロリドン）、流速（０．５ｍｌ／ｍｉｎ、カラム温度４０℃で、示差屈折形で検出した。また、溶出量−分子量の校正曲線は、標準ポリスチレン（ｓｈｏｄｅｘ）を用いて作成した。分子量選出は、ＴＯＳＯＨ  ＧＰＣ−８０２０  ｍｕｌｔｉｓｔａｔｉｏｎを用いて算出した。
【００４９】
ゴムの分解反応前後のクロマトグラフの一例を図２に示す。これにより、高分子量（約１００万Ｄａ付近）のピークが消失し、低分子量のピーク（１００〜１０００Ｄａ）が出現していることが分かる。詳細な結果を表１に示す。
【００５０】
表１において、実験番号１２、１３、１５〜１８が実施例であり、実験番号１〜１２、１４が比較例である。また、表１において、「見かけの結果」とは、ＳＥＣのクロマトグラフそのものから算出した結果であり、「補正後の結果」とは、低分子両側に出現するゴムの分解による以外の、他の由来の成分（例えばリノール酸）を差し引きした上で、全重量が１００％になるように規格化した結果を示す。この例では、出発物質のＳＢＳに少量（約５％）のポリスチレン（ＰＳ）が予め含まれている。そして、実験番号１３では、ゴムの分解反応によりＳＢＳが２０％、低分子物質が６９％となり、本発明によりゴムが効率的に分解していることがわかる。
【００５１】
【表１】
0004775724.tif 000002
【実施例２】
【００５２】
＜ミオグロビン（Ｍｂ）によるゴムの分解試験＞
西洋わさびペルオキシダーゼをミオグロビン（ＳＩＧＭＡ社製、品番Ｍ０６３０）に変ええる他は、実施例１と同様の条件で反応を行った。
【００５３】
結果の一例を図３に示す。これにより、高分子量（約１００万Ｄａ付近）のピークが消失し、低分子量のピーク（１００〜１０００Ｄａ）が出現していることが分かる。詳細な結果を表２に示す。表２において、実験番号１２、１３、１５〜１８が実施例であり、実験番号１〜１１、１４が比較例である。実施例１と同様にゴムが効率的に分解していることがわかる。
【００５４】
【表２】
0004775724.tif 000003
【実施例３】
【００５５】
＜ヘモグロビン（Ｈｂ）によるゴムの分解試験＞
西洋わさびペルオキシダーゼをヘモグロビン（ＳＩＧＭＡ社製、品番Ｈ２５００）に変える他は、実施例１と同様の条件で反応を行った。
【００５６】
結果の一例を図４に示す。これにより、高分子量（約１００万Ｄａ付近）のピークが消失し、低分子量のピーク（１００〜１０００Ｄａ）が出現していることが分かる。詳細な結果を表３に示す。表３において、実験番号１２、１３、１５〜１８が実施例であり、実験番号１〜１１、１４が比較例である。実施例１と同様にゴムが効率的に分解していることがわかる。
【００５７】
【表３】
0004775724.tif 000004
【実施例４】
【００５８】
＜西洋わさびペルオキシダーゼ（ＨＲＰ）によるゴム分解試験＞
スチレンブタジエンゴムをイソプレンゴム（ＪＳＲ社製、品番ＩＲ２２００）に変える他は、実施例１と同様の条件で反応を行った。
【００５９】
反応終了後クロロホルム５ｍＬを加え、ゴムの溶解と分液抽出を行い、クロロホルム相を分析した。
【００６０】
分析は、サイズ排除クロマトグラフィー（ＳＥＣ）を用いて行った。即ち、高速ＧＰＣ装置（ＴＯＳＯＨ  ＨＬＣ−８０２０）、ＳＥＣカラム（ＴＳＫｇｕａｒｄｃｏｌｕｍｎ  Ｈｘｌ−Ｈおよび２本のＴＳＫｇｅｌ  ＧＭＨｘｌの連結）、移動相溶媒（クロロホルム）、流速（１．０ｍＬ／ｍｉｎ．）、カラム温度４０℃で、示差屈折計で検出した。また、溶出量−分子量の校正曲線は、標準ポリスチレン（ｓｈｏｄｅｘ）を用いて作成した。分子量選出は、ＴＯＳＯＨ  ＧＰＣ−８０２０  ｍｕｌｔｉｓｔａｔｉｏｎを用いて算出した。
【００６１】
ゴムの分解反応前後のクロマトグラフの一例を図５に示す。これにより、処理対象のイソプレンゴムの分子量分布（２４０万Ｄａ付近）が、分解処理により低分子量側（８０万Ｄａ付近）へシフトしている事がわかる。詳細な結果を表４に示す。
【００６２】
表４において、実験番号１０４〜１０９が実施例であり、実験番号１０１〜１０３が比較例である。ここで例えば実験番号１０５では、分解反応によりゴムの重量平均分子量が、処理前の３４％の値まで低下しており、本発明によりゴムが効率的に分解している事がわかる。
【実施例５】
【００６３】
＜ミオグロビン（Ｍｂ）によるゴム分解試験＞
西洋わさびペルオキシダーゼをミオグロビン（ＳＩＧＭＡ社製、品番Ｍ０６３０）に変える他は、実施例４と同様の条件で反応と分析を行った。
【００６４】
結果の一例を図５に示す。これにより、処理対象のイソプレンゴムの分子量分布（２４０万Ｄａ付近）が、分解処理により低分子量側（４０万Ｄａ付近）へシフトしている事がわかる。詳細な結果を表４に示す。表４において、実験番号１１０〜１１５が実施例であり、実験番号１０１〜１０３が比較例である。ここで、例えば実験番号１１１においては、分解反応によりゴムの重量平均分子量が、処理前の２０％の値まで低下しており、本発明によりゴムが効率的に分解している事がわかる。さらに、西洋わさびペルオキシダーゼよりも、分解性能が優れていることがわかる。
【実施例６】
【００６５】
＜ヘモグロビン（Ｈｂ）によるゴム分解試験＞
西洋わさびペルオキシダーゼをヘモグロビン（ＳＩＧＭＡ社製、品番Ｈ２５００）に変える他は、実施例４と同様の条件で反応と分析を行った。
【００６６】
結果の一例を図５に示す。これにより、処理対象のイソプレンゴムの分子量分布（２４０万Ｄａ付近）が、分解処理により低分子量側（６０万Ｄａ付近）へシフトしている事がわかる。詳細な結果を表４に示す。表４において、実験番号１１６〜１２１が実施例であり、実験番号１０１〜１０３が比較例である。ここで、例えば実験番号１１７においては、分解反応によりゴムの重量平均分子量が、処理前の２５％の値まで低下しており、本発明によりゴムが効率的に分解している事がわかる。さらに、西洋わさびペルオキシダーゼよりも、分解性能が優れていることがわかる。
【００６７】
【表４】
0004775724.tif 000005
【産業上の利用可能性】
【００６８】
本発明を用いることで、低温で穏和な条件でゴムを確実に分解することができる。
【図面の簡単な説明】
【００６９】
【図１】図１は、タンパク質（酸化酵素）を用いたラジカル発生系によるジエン系ゴムの分解例を示す図である。
【図２】図２は、タンパク質（酸化酵素）として西洋わさびペルオキシダーゼを用いたゴムの分解例を示す。
【図３】図３は、タンパク質（酸化酵素）としてミオグロビンを用いたゴムの分解例を示す。
【図４】図４は、タンパク質（酸化酵素）としてヘモグロビンを用いたゴムの分解例を示す。
【図５】図５は、タンパク質として、西洋わさびペルオキシダーゼあるいはミオグロビンあるいはヘモグロビンを用いたイソプレンゴムの分解例を示す。
【図１】
0004775724.tif 000006
【図２】
0004775724.tif 000007
【図３】
0004775724.tif 000008
【図４】
0004775724.tif 000009
【図５】
0004775724.tif 000010